(57)【要約】【課題】  一板材組立製品となるセット品の各板材部品が混じることなく積載できて、後工程の効率化が図れるネスティングが可能な積載領域ネスティング装置を提供する。【解決手段】  一板材組立製品となる板材セットＳＡ，ＳＢ…の各板材部品Ｗを、複数セット分、積載領域Ｒ１，Ｒ２…に集積するために、積載領域Ｒ１，Ｒ２を板材部品Ｗの形状データでネスティングする装置である。板材部品データ記憶手段２２に記憶された各板材部品Ｗの中から、個々の板材セットＳＡ，ＳＢ…の中の最も大きい板材部品Ｗを抽出する手段２４を設ける。この抽出した板材部品Ｗの形状によってセット毎積載領域ＲＳＡ，ＲＳＢ…を定める手段２５を設ける。このセット毎積載領域ＲＳＡ，ＲＳＢ…に各板材部品Ｗを配置する手段２６を設ける。【選択図】        図１
2010165213.tif 000002
【特許請求の範囲】
【請求項１】
切取加工後の後工程で互いに組み立てられて一つの板材組立製品となる複数の板材部品からなる板材セットの各板材部品を、複数セット分、積載領域に集積するために前記積載領域を板材部品の形状データでネスティングする装置であって、
前記各板材部品の形状データ、および各板材部品がどの板材セットに属するかを示すセット品区分データを含む板材部品データを、ネスティング対象分となる複数セット分記憶する板材部品データ記憶手段と、
この板材部品データ記憶手段に記憶された各板材部品の中から、個々の板材セットの中の最も大きい板材部品を抽出する最大部品抽出手段と、
この最大領域抽出手段で抽出した板材部品の形状によって前記積載領域を設定規則に従ってネスティングすることで、個々の板材セットの積載領域であるセット毎積載領域を定める領域ネスティング手段と、
前記板材部品データ記憶手段に記憶された各板材部品につき、前記領域ネスティング手段で定められた対応する板材セットのセット毎積載領域内に、設定規則に従って配置を定める部品ネスティング手段とを備えた、
積載領域ネスティング装置。
【請求項２】
切取加工後の後工程で互いに組み立てられて一つの板材組立製品となる複数の板材部品からなる板材セットの各板材部品を、複数セット分、積載領域に集積するために前記積載領域を板材部品の形状データでネスティングする装置であって、
前記各板材部品の形状データ、および各板材部品がどの板材セットに属するかを示すセット品区分データを含む板材部品データを、ネスティング対象分となる複数セット分記憶する板材部品データ記憶手段と、
この板材部品データ記憶手段に記憶された各板材セット毎に、その板材セット内の板材部品を積み重ねて積載するにつき必要となる平面形状であるセット毎積載所要形状を設定規則に従って計算するセット毎積載所要形状計算手段と、
この計算されたセット毎積載所要形状で前記積載領域を設定規則に従ってネスティングすることにより、個々の板材セットの積載領域であるセット毎積載領域を定める領域ネスティング手段と、
前記板材部品データ記憶手段に記憶された各板材部品につき、前記領域ネスティング手段で定められた対応する板材セットのセット毎積載領域内に、設定規則に従って配置を定める部品ネスティング手段とを備えた、
積載領域ネスティング装置。
【請求項３】
前記積載領域は、搬送台車の積載部である請求項１または請求項２記載の積載領域ネスティング装置。
【発明の詳細な説明】
【技術分野】
【０００１】
この発明は、一つの板材組立製品となる板材セットの各板材部品につき、素材板材からの切り取り加工後に搬送台車上等の積載領域に積載するにつき、その板材部品の配置のネスティングを行う積載領域ネスティング装置に関する。
【背景技術】
【０００２】
板金製のボックス類等では、複数枚の板材部品を溶接やボルト止め等で組み立てて板材組立製品とされる。各板材部品は、素材板材からの切り取り加工をパンチプレスやレーザ加工機等の板材加工機により行い、切り取られた板材部品を搬送台車等に積載し、曲げ工程、タップ工程、溶接工程等の次工程に搬送する。
前記板材加工機による板材加工では、必ずしも一つの板材組立製品分となる板材部品のセット品毎に加工せず、素材板材の歩留り等の観点から、素材板材に対する板材部品のネスティングを重視した加工順が採られることが多い。そのため、種類の互いに異なる複数セット分の板材部品が、入り交じって切り取り加工される。
このように切り取り加工された板材部品は、セット品外の一般的な切り取り加工と同様に、大きさや、切り取り順等で搬送台車等の積載領域に積載される。
【０００３】
パンチプレスやレーザ加工機等の板材加工機により、素材板材から切り取った板材部品を積載領域に積載する一般的な積載形態としては、素材板材に対する板材部品のネスティングした状態での積載形態や、板材部品の種類別、部品属性別等に積載している（例えば特許文献１）。上記セット品の場合や、このような積載形態が採られる。
【先行技術文献】
【特許文献】
【０００４】
【特許文献１】特許第２８３０８２３号公報
【発明の概要】
【発明が解決しようとする課題】
【０００５】
上記のように、従来は素材板材へのネスティング状態での積載、板材部品の種類別、部品属性別等に積載しているため、台車などに積載した状態で、そのまま溶接等の後工程へ移動する場合などに、後工程でセット品となる部品の纏まりが分からない。そのため、作業者が板材部品を識別して、溶接等の後工程の纏まりを判断し、溶接等の後工程の作業を行う必要がある。または、再度、積載し直して後工程へ移動する必要が発生していた。
【０００６】
この発明の目的は、一板材組立製品となるセット品の各板材部品が混じることなく積載できて、後工程で作業者がセット品の判断を板材部品毎に行う必要がなく、後工程の効率化が図れるネスティングが可能な積載領域ネスティング装置を提供することである。
この発明の他の目的は、セット品の各板材部品を同じ場所に重ねて積載するにつき、セット品内の最大の板材部品からはみ出す板材部品があっても、適切にセット毎の積載領域を定めることを可能とすることである。
この発明のさらに他の目的は、搬送台車へ積載する場合に効果的に適用可能とすることである。
【課題を解決するための手段】
【０００７】
この発明に係る第１の積載領域ネスティング装置を、実施形態に対応する図１と共に説明する。この積載領域ネスティング装置（２１）は、切取加工後の後工程で互いに組み立てられて一つの板材組立製品となる複数の板材部品（Ｗ）からなる板材セット（ＳＡ，ＳＢ，…）の各板材部品（Ｗ）を、複数セット分、積載領域（Ｒ）に集積するために前記積載領域（Ｒ）を板材部品（Ｗ）の形状データでネスティングする装置である。
この積載領域ネスティング装置（２１）は、前記各板材部品（Ｗ）の形状データ（Ｄｗ）、および各板材部品（Ｗ）がどの板材セット（ＳＡ，ＳＢ，…）に属するかを示すセット品区分データ（Ｄｓ）を含む板材部品データ（Ｄ）を、ネスティング対象分となる複数セット分記憶する板材部品データ記憶手段（２２）と、
この板材部品データ記憶手段（２２）に記憶された各板材部品（Ｗ）の中から、個々の板材セット（ＳＡ，ＳＢ，…）の中の最も大きい板材部品（Ｗ）を抽出する最大部品抽出手段（２４）と、
この最大領域抽出手段（２４）で抽出した板材部品（Ｗ）の形状によって前記積載領域（Ｒ）を設定規則に従ってネスティングすることで、個々の板材セット（Ｓ１，Ｓ２，…）の積載領域であるセット毎積載領域（ＲＳＡ，ＲＳＢ，…）を定める領域ネスティング手段（２５）と、
前記板材部品データ記憶手段（２２）に記憶された各板材部品（Ｗ）につき、前記領域ネスティング手段（２５）で定められた対応する板材セット（ＳＡ，ＳＢ，…）のセット毎積載領域（ＲＳＡ，ＲＳＢ，…）内に配置を、設定規則に従って定める部品ネスティング手段（２６）とを備える。
【０００８】
この構成によると、まず、個々の板材セット（ＳＡ，ＳＢ，…）の中の最も大きい板材部品（Ｗ）を抽出し、その抽出した板材部品（Ｗ）の形状によって従ってネスティングする。これにより、個々の板材セット（ＳＡ，ＳＢ，…）の積載領域であるセット毎積載領域（ＲＳＡ，ＲＳＢ，…）を確保する。各板材部品（Ｗ）は、この定められたセット毎積載領域（ＲＳＡ，ＲＳＢ，…）内に配置を定める。
このため、複数の板材セット（ＳＡ，ＳＢ，…）の板材部品（Ｗ）を同時に積載するにつき、板材セットの板材部品（Ｗ）がまざらないように積載することができる。そのため、後工程で作業者が、セット品の判断を板材部品（Ｗ）毎に行う必要がなく、後工程の効率化が図れる。また、板材セットの中の最も大きい板材部品（Ｗ）で積載領域（Ｒ）をネスティングしてセット毎積載領域（ＲＳＡ，ＲＳＢ，…）を確保するため、１セット分の積み重ね範囲を演算することなく、簡単な演算処理でセット毎積載領域（ＲＳＡ，ＲＳＢ，…）を定めることができる。一般的に板材組立製品は、主となる１枚の大きな板材部品（Ｗ）と、これに組付けられる補助的な板材部品（Ｗ）と構成されるため、主となる１枚の大きな板材部品（Ｗ）の範囲に全ての板材部品（Ｗ）を積載することが可能である。そのため、最も大きい板材部品（Ｗ）でセット毎積載領域（ＲＳＡ，ＲＳＢ，…）を確保すれば、大抵の場合は、その定めたセット毎積載領域（ＲＳＡ，ＲＳＢ，…）内に全ての板材部品（Ｗ）を配置することができる。なお、「最も大きい」とは、板材部品（Ｗ）の面積で判断しても、また板材部品（Ｗ）の縦横寸法の中で最大となる寸法で判断しても良い。面積で判断する場合は、例えば各板材部品（Ｗ）が収まる矩形範囲を求め、その矩形範囲の面積で判断しても良い。
【０００９】
この発明に係る第２の積載領域ネスティング装置（２１Ａ）を、実施形態に対応する図５と共に説明する。この積載領域ネスティング装置（２１Ａ）は、切取加工後の後工程で互いに組み立てられて一つの板材組立製品となる複数の板材部品（Ｗ）からなる板材セット（Ｓ１，Ｓ２，…）の各板材部品（Ｗ）を、複数セット分、積載領域（Ｒ）に集積するために前記積載領域（Ｒ）を板材部品（Ｗ）の形状データでネスティングする装置であって、前記各板材部品（Ｗ）の形状データ（Ｄｗ）、および各板材部品（Ｗ）がどの板材セット（ＳＡ，ＳＢ，…）に属するかを示すセット品区分データ（Ｄｓ）を含む板材部品データ（Ｄ）を、ネスティング対象分となる複数セット分記憶する板材部品データ記憶手段（２２）を有する点、および前記板材部品データ記憶手段（２２）に記憶された各板材部品（Ｗ）につき、前記領域ネスティング手段（２５Ａ）で定められた対応する板材セット（ＳＡ，ＳＢ，…）のセット毎積載領域（ＲＳＡ，ＲＳＢ，…）内に配置を、設定規則に従って定める部品ネスティング手段（２６）とを備える点については、上記第１の積載領域ネスティング装置（２１）と同様である。
第２の第２の積載領域ネスティング装置（２１Ａ）では、板材部品データ記憶手段（２２）に記憶された各板材セット（ＳＡ，ＳＢ，…）毎に、その板材セット内の板材部品（Ｗ）を積み重ねて積載するにつき必要となる平面形状であるセット毎積載所要形状（ＫＳＡ，ＫＳＢ，…）を、設定規則に従って計算するセット毎積載所要形状計算手段（２４Ａ）を備える。
領域ネスティング手段（２５Ａ）は、上記の計算されたセット毎積載所要形状（ＫＳＡ，ＫＳＢ，…）で前記積載領域（Ｒ）を設定規則に従ってネスティングすることにより、個々の板材セット（ＳＡ，ＳＢ，…）の積載領域であるセット毎積載領域（ＲＳＡ，ＲＳＢ，…）を定めるものとする。
【００１０】
この構成の場合は、セット毎積載所要形状計算手段（２４Ａ）が、板材セット内の板材部品（Ｗ）を積み重ねて積載するにつき必要となる平面形状であるセット毎積載所要形状（ＫＳＡ，ＫＳＢ，…）を計算し、このセット毎積載所要形状（ＫＳＡ，ＫＳＢ，…）でネスティングするため、演算処理は最大部品抽出に比べて煩雑とはなるが、セット内の最大の板材部品（Ｗ）の範囲内に収まらない形状の板材部品（Ｗ）が存在しても、適切なネスティングが行える。その他の作用，効果は、第１の積載領域ネスティング装置（２１）と同様である。
【００１１】
これら第１および第２の積載領域ネスティング装置（２１，２１Ａ）において、前記積載領域は、搬送台車（３）の積載部であっても良い。搬送台車（３）であると、積載された板材部品（Ｗ）を後工程へその搬送台車（３）に載せたままで搬送することができる。このような搬送台車（３）へ積載する場合に、この発明における、セット品の各板材部品（Ｗ）が混じることなく積載できて、後工程で作業者がセット品の判断を板材部品毎に行う必要がなく、後工程の効率化が図れるという効果が、より効果的に発揮される。
【発明の効果】
【００１２】
この発明における第１の積載領域ネスティング装置は、切取加工後の後工程で互いに組み立てられて一つの板材組立製品となる複数の板材部品からなる板材セットの各板材部品を、複数セット分、積載領域に集積するために前記積載領域を板材部品の形状データでネスティングする装置であって、前記各板材部品の形状データ、および各板材部品がどの板材セットに属するかを示すセット品区分データを含む板材部品データを、ネスティング対象分となる複数セット分記憶する板材部品データ記憶手段と、この板材部品データ記憶手段に記憶された各板材部品の中から、個々の板材セットの中の最も大きい板材部品を抽出する最大部品抽出手段と、この最大領域抽出手段で抽出した板材部品の形状によって前記積載領域を設定規則に従ってネスティングすることで、個々の板材セットの積載領域であるセット毎積載領域を定める領域ネスティング手段と、前記板材部品データ記憶手段に記憶された各板材部品につき、前記領域ネスティング手段で定められた対応する板材セットのセット毎積載領域内に、設定規則に従って配置を定める部品ネスティング手段とを備えるため、一板材組立製品となるセット品の各板材部品が混じることなく積載できて、後工程で作業者がセット品の判断を板材部品毎に行う必要がなく、後工程の効率化が図れるネスティングが可能となる。また、演算処理も簡単である。
【００１３】
この発明における第２の積載領域ネスティング装置は、板材部品データ記憶手段に記憶された各板材セット毎に、その板材セット内の板材部品を積み重ねて積載するにつき必要となる平面形状であるセット毎積載所要形状を設定規則に従って計算するセット毎積載所要形状計算手段と、この計算されたセット毎積載所要形状で前記積載領域を設定規則に従ってネスティングすることにより、個々の板材セットの積載領域であるセット毎積載領域を定める領域ネスティング手段と、前記板材部品データ記憶手段に記憶された各板材部品につき、前記領域ネスティング手段で定められた対応する板材セットのセット毎積載領域内に、設定規則に従って配置を定める部品ネスティング手段とを備えるため、一板材組立製品となるセット品の各板材部品が混じることなく積載できて、後工程で作業者がセット品の判断を板材部品毎に行う必要がなく、後工程の効率化が図れる。また、セット品の各板材部品を同じ場所に重ねて積載するにつき、セット品内の最大の板材部品からはみ出す板材部品があっても、適切にセット毎の積載領域を定めることができる。
【００１４】
また、この発明は、前記積載領域が搬送台車の積載部である場合に、この発明におけるセット品の各板材部品が混じることなく積載できて、後工程で作業者がセット品の判断を板材部品毎に行う必要がなく、後工程の効率化が図れるという効果が、より一層効果的となる。
【図面の簡単な説明】
【００１５】
【図１】この発明の一実施形態に係る積載領域ネスティング装置の概念構成を示すブロック図である。
【図２】同積載領域ネスティング装置の処理の概略説明図である。
【図３】同積載領域ネスティング装置のネスティング対象となる載置領域を含む板材加工設備の一例を示す斜視図である。
【図４】同載置領域を有する搬送台車の斜視図である。
【図５】この発明の他の実施形態に係る積載領域ネスティング装置の概念構成を示すブロック図である。
【図６】同積載領域ネスティング装置の処理の概略説明図である。
【発明を実施するための形態】
【００１６】
この発明の第１の実施形態を図１ないし図４と共に説明する。図４は、積載領域ネスティングの対象の一例となる搬送台車３を備えた板材加工設備の一例を示す。この板材加工設備は、板材加工機１、板材搬送装置２、および上記搬送台車３を備える。
【００１７】
板材加工機１は、素材板材Ｗ０から複数の板材部品Ｗを切り取る加工が可能な加工機であり、パンチプレスまたはレーザ加工機等からなる。板材加工機１は、加工を施す加工ヘッド４、およびテーブル５上の素材板材Ｗを加工ヘッド部４に前後（Ｙ方向），左右（Ｘ方向）に送る板材送り機構６を備える。板材加工機１は、コンピュータ式の加工機制御装置３３により制御される。
【００１８】
板材搬送装置２は、板材加工機１のテーブル５上に対して、各板材部品Ｗの搬出、および素材板材Ｗの搬入を行う装置である。板材搬送装置２は、レール７上を前後移動する前後移動台８に、左右方向に延びる架設レール９を設け、この架設レール９に走行体１０を走行自在に設置したものである。走行体１０は、素材板材Ｗや板材部品Ｗを吸着して把持する板材保持部１１を有している。板材保持部１１は、複数の真空吸着パッド等により構成される。板材搬送装置２は、２本のレール７間の載置エリアＥに設置されて複数のパレットを有する板材ストッカ（図示せず）と、載置エリアＥの側方に置かれた上記搬送台車３とに、板材部品Ｗを振り分けて搬出する。板材搬送装置２は、搬送制御装置３０により制御される。
【００１９】
図３に示すように、搬送台車３は、台車本体１５にキャスタ１６を設けたものであり、立掛け載置部１７と、上段載置部１８と、下段載置部１９との３種類の載置部を有している。立掛け載置部１７は、底板部１７ａと持たせ用の立板部１７ｂとを有する。上段載置部１８は、台車本体１５の上面である。下段載置部１９は、台車本体１５に対して引出しおよび収納自在な可動棚として設けられている。下段載置部１９は、引出しとなるボックス状としても良い。
【００２０】
図１において、加工機制御装置３３は、加工プログラム３２によって制御される数値制御式の装置であり、その加工加工プログラム３２は、自動プログラミング装置からなる加工プログラム作成装置３１によって生成される。
搬送制御装置３０は、搬送プログラム２９によって制御されるコンピュータ制御式の装置であり、搬送プログラム２９は、自動プログラミング装置からなる搬送プログラム作成装置２８によって生成される。この搬送プログラム作成装置２８の一部として、またはそのプログラム作成に使用するデータの生成手段として、この積載領域ネスティング装置２１が設けられる。
【００２１】
この積載領域ネスティング装置２１は、複数の板材部品からなる板材セットＳＡ，ＳＢ…の各板材部品Ｗ（ＷＳＡ１，ＷＳＡ２，…ＷＳＢ１，…）を、複数セット分、積載領域Ｒに集積するために、前記積載領域Ｒを板材部品Ｗの形状データでネスティングする装置である。
板材セットＳＡ，ＳＢ…は、板材加工機１による切取加工後の後工程で互いに組み立てられて一つの板材組立製品（図示せず）となる各板材部品Ｗの組のことである。板材組立製品は、例えば配電ボックス等の板金製の箱類等であり、溶接やねじ止め等により組み立てられる。切取加工後の後工程としては、曲げ工程、溶接工程、タップ工程、ねじ止め工程等があり、各板材部品Ｗに応じて施される。
積載領域Ｒは、前記搬送台車３の各載置部１７〜１９（図３）であり、上段載置部１８が第１の積載領域Ｒ１となり、下段載置部１９が第２の積載領域Ｒ２となり、立掛け載置部１７が第３の積載領域Ｒ３となる。なお、この実施形態では、立掛け載置部１７からなる第３の積載領域Ｒ１は、使用していない。搬送台車３は、積載された板材部品Ｗを、走行によって後工程へ搬送する台車である。
【００２２】
積載領域ネスティング装置２１は、コンピュータおよびこれに実行されるプログラム（図示せず）により構成される。積載領域ネスティング装置２１には、板材部品データ記憶手段２２、積載領域記憶手段２３、最大部品抽出手段２４、領域ネスティング手段２５、部品ネスティング手段２６、およびネスティング結果記憶手段２７を有している。積載領域記憶手段２３は、各積載領域Ｒ１〜Ｒ３の範囲を記憶した手段である。
【００２３】
板材部品データ記憶手段２２は、各板材部品Ｗ（ＷＳＡ１，ＷＳＡ２，…ＷＳＢ１，…）の形状データ、および各板材部品Ｗがどの板材セットＳＡ，ＳＢ…に属するかを示すセット品区分データ、並びに各板材部品Ｗの識別データを含む板材部品データＤを、ネスティング対象分となる複数セット分記憶する手段である。各板材部品（ＷＳＡ１，ＷＳＡ２，…ＷＳＢ１，…）の記憶順は任意で良い。
【００２４】
最大部品抽出手段２４は、板材部品データ記憶手段２４に記憶された各板材部品Ｗの中から、個々の板材セットＳＡ，ＳＢ…の中の最も大きい板材部品Ｗを抽出する手段である。この場合の大きさの比較は、板材部品Ｗの面積で判断しても、また板材部品Ｗの縦横寸法の中で最大となる寸法で判断しても良い。面積で判断する場合は、例えば各板材部品（Ｗ）が収まる矩形範囲を求め、その矩形範囲の面積で判断しても良い。
【００２５】
領域ネスティング手段２５は、最大領域抽出手段２４で抽出した板材部品Ｗの形状によって前記積載領域Ｒ（Ｒ１，Ｒ２）を設定規則に従ってネスティングすることで、個々の板材セットＳＡ，ＳＢ…の積載領域であるセット毎積載領域ＲＳＡ，ＲＳＢ…を定める手段である。上記設定規則は、任意に定めた規則で良く、例えば各積載領域Ｒ１，Ｒ２に端から順に配置するものとしても良い。
【００２６】
部品ネスティング手段２７は、板材部品データ記憶手段２２に記憶された各板材部品Ｗにつき、領域ネスティング手段２４で定められた対応する板材セットＳＡ，ＳＢ…のセット毎積載領域ＲＳＡ，ＲＳＢ…内に、設定規則に従って配置を定める手段である。この場合の設定規則も、任意に定めた規則であっても良い。また、各セット毎積載領域ＲＳＡ，ＲＳＢ…内での積載順は、必ずしも最大の板材部品Ｗを最層に積載する必要はなく、例えば切り取り加工順にセット毎積載領域ＲＳＡ，ＲＳＢ…内に板材部品Ｗを並べて載せ、セット毎積載領域ＲＳＡ，ＲＳＢ…における同じ層内に載置できないときに積み重ねる規則としても良い。
【００２７】
ネスティング結果記憶手段２７は、部品ネスティング手段２７による板材部品Ｗのネスティング結果を記憶する手段である。ネスティング結果記憶手段２７には、この板材部品Ｗのネスティング結果と共に、領域ネスティング手段２５のネスティング結果であるセット毎積載領域ＲＳＡ，ＲＳＢ…についても記憶するようにしても良い。これらのネスティング結果は、搬送プログラム作成装置２８に入力され、搬送プログラム２９の生成に用いられる。
【００２８】
上記構成による積載領域ネスティング装置２１の処理方法を説明する。図２は、その処理の具内的内容の例を示す。この例は、説明の簡明のために、一般的に想定される実施の場合に比べて、板材部品Ｗの枚数を少なくして示している。
板材部品データ記憶手段２２には、ネスティング対象分の複数の板材セットＳＡ，ＳＢ，…の各板材部品Ｗについて、その形状データＤｗおよびセット品区分データＤｓを含む板材部品データＤを記憶させておく。図２の例では、同図（Ｂ）に示す板材部品Ｗがネスティング対象分の板材部品Ｗである。同図の例では、板材セットＳＡに板材部品ＷとしてＷＳＡ１，ＷＳＡ２，ＷＳＡ３の３枚がある。板材セットＳＢに板材部品Ｗとしては、ＷＳＢ２，ＷＳＢ２，ＷＳＢ３の３枚がある。板材セットＳＣの板材部品Ｗは、ＷＳＣ１の１枚である。なお、同図（Ａ）は積載領域Ｒ（Ｒ１〜Ｒ３）を示す。
【００２９】
最大部品抽出手段２４は、板材部品データ記憶手段２２に記憶された各板材部品Ｗの中から、個々の板材セットＳＡ，ＳＢ，…の中の最も大きい板材部品Ｗを、図２（Ｃ）のように抽出する。同図の例では、板材セットＳＡ，ＳＢの中の最も大きい板材部品Ｗは、ＷＳＡ１，ＷＳＢ１である。板材セットＳＣについては、含まれる板材部品ＷがＷＳＣ１の１枚のみであるから、このＷＳＣ１が抽出される。
【００３０】
領域ネスティング手段２５は、上記のように最大領域抽出手段２４で抽出した板材部品ＷＳＡ１，ＷＳＢ１，ＷＳＣ１の形状によって、積載対象となる積載領域Ｒ１，Ｒ２をネスティングする。例えば、図２（Ｄ）のように個々の板材セットＳＡ，ＳＢ，ＳＣの積載領域であるセット毎積載領域ＲＳＡ，ＲＳＢ，ＲＳＣ１を定める。なお、複数ある積載領域Ｒ１，Ｒ２のいずれにセット毎積載領域ＲＳＡ，ＲＳＢ，ＲＳＣを定めるかは、上記設定規則に従って定められる。
【００３１】
部品ネスティング手段２６は、板材部品データ記憶手段２２に記憶された各板材部品Ｗにつき、上記のように領域ネスティング手段２５で定められたセット毎積載領域ＲＳＡ，ＲＳＢ，ＲＳＣ内で、対応する板材セットＳＡ，ＳＢ，ＳＣに含まれる各板材部品Ｗの配置を定める。図２（Ｅ）はその配置結果の例を示す。セット毎積載領域ＲＳＡ，ＲＳＢ，ＲＳＣ内におけるどの位置に各板材部品Ｗを配置するかは、前記設定規則に従って定められる。このように定められたネスティング結果が、ネスティング結果記憶手段２７に記憶される。
【００３２】
この構成の積載領域ネスティング装置２１によると、このように、まず、個々の板材セットＳＡ，ＳＢ，…の中の最も大きい板材部品Ｗを抽出し、その抽出した板材部品Ｗの形状によって従って積載領域Ｒ１，Ｒ２をネスティングする。これにより、個々の板材セットＳＡ，ＳＢ，…の積載領域であるセット毎積載領域ＲＳＡ，ＲＳＢ，…を確保する。各板材部品Ｗは、この定められたセット毎積載領域ＲＳＡ，ＲＳＢ，…内に配置を定める。  このため、複数の板材セットＳＡ，ＳＢ，…の板材部品Ｗを同時に積載するにつき、板材セットの板材部品Ｗがまざらないように積載することができる。そのため、後工程で作業者が、セット品の判断を板材部品Ｗ毎に行う必要がなく、後工程の効率化が図れる。また、板材セットの中の最も大きい板材部品Ｗで積載領域Ｒ１，Ｒ２をネスティングしてセット毎積載領域ＲＳＡ，ＲＳＢ，…を確保するため、１セット分の積み重ね範囲を演算することなく、簡単な演算処理でセット毎積載領域ＲＳＡ，ＲＳＢ，…を定めることができる。一般的に板材組立製品は、主となる１枚の大きな板材部品Ｗと、これに組付けられる補助的な板材部品Ｗと構成されるため、主となる１枚の大きな板材部品Ｗの範囲に全ての板材部品Ｗを積載することが可能である。そのため、最も大きい板材部品Ｗでセット毎積載領域ＲＳＡ，ＲＳＢ，…を確保すれば、大抵の場合は、その定めたセット毎積載領域ＲＳＡ，ＲＳＢ，…内に全ての板材部品Ｗを配置することができる。
【００３３】
図５，図６は、この発明の他の実施形態に係る積載領域ネスティング装置およびその処理内容例を説明する。
この実施形態は、図１〜図４に示す第１の実施形態において、図１の最大部品抽出手段２４を設ける代わりに、セット毎積載所要形状計算手段２４Ａを設け、また領域ネスティング手段２５Ａは、上記セット毎積載所要形状計算手段２４Ａにより定められたセット毎積載所要形状ＫＳＡ，ＫＳＢ，ＫＳＣを用いてネスティングを行うものとされる。その他の構成は第１の実施形態と同様である。
【００３４】
セット毎積載所要形状計算手段２４Ａは、板材部品データ記憶手段２２に記憶された各板材セットＳＡ，ＳＢ，…毎に、その板材セットＳＡ，ＳＢ，…内の板材部品Ｗ（ＷＳＡ１，ＷＳＡ２，ＷＳＡ３，ＷＳＢ２，ＷＳＢ２，ＷＳＢ３，ＷＳＣ１）を積み重ねて積載するにつき必要となる平面形状であるセット毎積載所要形状Ｋ（ＫＳＡ，ＫＳＢ，ＫＳＣ）を設定規則に従って計算する手段である。上記設定規則は任意に定められる。
【００３５】
領域ネスティング手段２５Ａは、セット毎積載所要形状計算手段２４Ａで計算されたセット毎積載所要形状ＫＳＡ，ＫＳＢ，ＫＳＣで積載領域Ｒ（Ｒ１，Ｒ２，…）を設定規則に従ってネスティングすることにより、個々の板材セットの積載領域であるセット毎積載領域ＲＳＡ，ＲＳＢ…を定める手段である。
【００３６】
この実施形態の場合の処理例を図６と共に説明する。この実施形態では、セット毎積載所要形状計算手段２４Ａが、板材部品データ記憶手段２２に記憶された各板材セットＳＡ，ＳＢ，…毎に、セット毎積載所要形状Ｋ（ＫＳＡ，ＫＳＢ，ＫＳＣ）を計算する。セット毎積載所要形状Ｋは、板材セットＳＡ，ＳＢ，…内の板材部品Ｗを積み重ねて積載するにつき必要となる平面形状である。
【００３７】
図６の例では、同図（Ｃ）のように、板材セットＳＡについては、板材部品ＷＳＡ１，ＷＳＡ２，ＷＳＡ３の３枚を積み重ねて積載するのに必要な平面形状がセット毎積載所要形状ＫＳＡとなる。この場合、最大の板材部品ＷＳＡ１の範囲内に、はみ出すことなく残りの各板材部品ＷＳＡ２，ＷＳＡ３を積み重ねることができるため、最大の板材部品ＷＳＡ１の形状がセット毎積載所要形状ＫＳＡとなる。
板材セットＳＢについては、板材部品ＷＳＢ１，ＷＳＢ２，ＷＳＢ３の３枚を積み重ねて積載するのに必要な平面形状がセット毎積載所要形状ＫＳＢとなる。この場合、最大の板材部品ＷＳＢ１に対して板材部品ＷＳＢ３を積み重ねるとはみ出し部分が生じるが、このはみ出し状態に積み重ねられた全ての板材部品Ｗが含まれる範囲が、セット毎積載所要形状ＫＳＢとなる。この例では、セット毎積載所要形状ＫＳＢは、形状を矩形に定め、積み重ねられた全ての板材部品Ｗが含まれる最小の矩形を、セット毎積載所要形状ＫＳＢとしている。
板材セットＳＣについては、含まれる板材部品Ｗが板材部品ＷＳＣ１の１枚のみであるから、この板材部品ＷＳＣ１の形状がセット毎積載所要形状ＫＳＣとなる。
なお、板材セットＳＡのように、最大の板材部品ＷＳＡ１の範囲内に、はみ出すことなく残りの各板材部品ＷＳＡ２，ＷＳＡ３を積み重ねることができる場合や、板材セットＳＣのように属する板材部品Ｗが板材部品ＷＳＣ１の１枚のみである場合にも、それぞれ、その板材部品ＷＳＡ１，ＷＳＣ１が含まれる最小の矩形を、セット毎積載所要形状ＫＳＡ，ＫＳＣ，としても良い。
【００３８】
領域ネスティング手段２５Ａは、このように定められたセット毎積載所要形状ＫＳＡ，ＫＳＢ，ＫＳＣによって、積載対象となる積載領域Ｒ１，Ｒ２をネスティングする。例えば図６（Ｄ）のように、個々の板材セットＳＡ，ＳＢ，ＳＣの積載領域であるセット毎積載領域ＲＳＡ，ＲＳＢ，ＲＳＣを定める。
以下の処理は、第１の実施形態と同様である。
【００３９】
この実施形態の場合は、セット毎積載所要形状計算手段２４Ａが、板材セットＳＡ，ＳＢ…内の板材部品Ｗを積み重ねて積載するにつき必要となる平面形状であるセット毎積載所要形状ＫＡ，ＫＢ，…を計算し、このセット毎積載所要形状ＫＡ，ＫＢ，…でネスティングするため、演算処理は最大部品抽出に比べて煩雑とはなるが、セットＳＡ，ＳＢ…内の最大の板材部品Ｗの範囲内に収まらない形状の板材部品Ｗが存在しても、適切なネスティングが行える。その他の作用，効果は、第１の実施形態と同様である。
【符号の説明】
【００４０】
１…板材加工機
２…板材搬送装置
３…搬送台車
１８…上段載置部
１９…下段載置部
２１…積載領域ネスティング装置
２２…板材部品データ記憶手段
２３…積載領域記憶手段
２４…最大部品抽出手段
２４Ａ…セット毎積載所要形状計算手段
２５，２５Ａ…領域ネスティング手段
２６…部品ネスティング手段
２７…ネスティング結果記憶手段
Ｄ…板材部品データ
Ｄａ…板材部品識別データ
Ｄｓ…セット品区分データ
Ｄｗ…形状データ
ＫＳＡ，ＫＳＢ，ＫＳＣ…セット毎積載所要形状
Ｒ，Ｒ１，Ｒ２，Ｒ３…積載領域
ＲＳＡ，ＲＳＢ…セット毎積載領域
ＳＡ，ＳＢ，ＳＣ…板材セット
Ｗ…板材部品
ＷＳＡ１，ＷＳＡ２，…ＷＳＢ１，…板材部品
【図１】
2010165213.tif 000003
【図２】
2010165213.tif 000004
【図３】
2010165213.tif 000005
【図４】
2010165213.tif 000006
【図５】
2010165213.tif 000007
【図６】
2010165213.tif 000008